(57)【特許請求の範囲】
【請求項１】
ロボット玩具の別部品に取り付けられる連結装置であって、
前記別部品にヒンジ連結される回動板と、
前記回動板に形成された筒状本体であって、当該筒状本体の内側に第１の連結部材が着脱自在に設けられ、当該筒状本体の外側に第２の連結部材が着脱自在に設けられた筒状本体と、
前記第１の連結部材と前記第２の連結部材とを一体的に締結する締結部材とからなり、
前記回動板の回動により、
前記別部品の一方の面に形成された第１の収納凹部に前記連結装置が収納されると、前記別部品から前記第２の連結部材が突出し、
前記別部品の他方の面に形成された第２の収納凹部に前記連結装置が収納されると、前記別部品から前記第１の連結部材が突出することを特徴とする連結装置。
【請求項２】
前記別部品から前記第２の連結部材が突出した状態において、前記第２の連結部材は前記ロボット玩具に連結され、
前記別部品から前記第１の連結部材が突出した状態において、前記第１の連結部材は前記ロボット玩具以外の部品に連結されることを特徴とする請求項１記載の連結装置。
【発明の詳細な説明】
【０００１】
【発明の属する技術分野】
本願発明は、部品同士を着脱自在に連結する連結装置に関するものである。
【０００２】
【従来の技術】
従来の連結装置９１は、例えば、図６に示すように、両側に同じ形状の連結部材９２，９２が設けられ、この連結部材９２，９２に部品９３，９５を連結させて、部品９３，９５を連結させるものであった。
【０００３】
【発明が解決しようとする課題】
上記従来の連結装置９１は、連結部材９２，９２が固定して設けられ、連結部材９２，９２が常に同じであるため、連結する部品９３，９５に合わせて連結部材９２，９２を交換することができないという問題点があった。
【０００４】
本願発明は、上記問題点に鑑み案出したものであって、連結する部品に合わせて連結部材を交換することができる、従来にない新規な構造の連結装置を提供することを目的とする。
【０００５】
【課題を解決するための手段】
請求項１記載の連結装置は、上記目的を達成するため、ロボット玩具の別部品に取り付けられる連結装置であって、前記別部品にヒンジ連結される回動板と、前記回動板に形成された筒状本体であって、当該筒状本体の内側に第１の連結部材が着脱自在に設けられ、当該筒状本体の外側に第２の連結部材が着脱自在に設けられた筒状本体と、前記第１の連結部材と前記第２の連結部材とを一体的に締結する締結部材とからなり、前記回動板の回動により、前記別部品の一方の面に形成された第１の収納凹部に前記連結装置が収納されると、前記別部品から前記第２の連結部材が突出し、前記別部品の他方の面に形成された第２の収納凹部に前記連結装置が収納されると、前記別部品から前記第１の連結部材が突出することを特徴とする。また、請求項２記載の連結装置は、前記別部品から前記第２の連結部材が突出した状態において、前記第２の連結部材は前記ロボット玩具に連結され、前記別部品から前記第１の連結部材が突出した状態において、前記第１の連結部材は前記ロボット玩具以外の部品に連結されることを特徴とする。
【０００７】
【発明の実施の形態】
以下、本発明の実施の形態を図面に基づいて説明する。図１は、本発明に係る連結装置の分解斜視図である。図２は、連結装置を部品に取り付けた斜視図である。図３は、図２の要部断面図である。図４，５は、図２の使用状態を説明する斜視図である。
【０００８】
連結装置１は、合成樹脂によって一体成形された筒状本体２を有する。筒状本体２は、大径部３と小径部５とからなる。小径部５の先端５ａ周縁には、複数の係止凹部９・・が形成されている。大径部３内には矩形孔６が形成され、小径部５内には円形孔７が形成されている。筒状本体２は、別部品５１にヒンジ連結される回動板１０に一体的に設けられている。
【０００９】
回動板１０は、一側縁に後記連結軸５５を挿通する挿通孔１２を備えた軸受けボス１１が一体成形で設けられ、他側表面１６に筒状本体２が一体成形で設けられている。回動板１０には、矩形孔６より大きい大径孔１３が、矩形孔６と同一軸心上で形成されている。回動板１０の他側裏面１７先端には、略Ｌ字状の係合突起１５，１５が突設されている。
【００１０】
筒状本体２は、内側に第１の連結部材２０が着脱自在に設けられ、外側に第２の連結部材３０が着脱自在に設けられている。第１の連結部材２０は、係止部材であって、筒状本体２の円形孔７に嵌合する軸部２１と、同じく筒状本体２の矩形孔６に嵌合する矩形板２２と、矩形板２２の表面に突設された係止突起２３とからなる。係止突起２３の先端には、膨出部２５が形成されている。軸部２１の後端には、雌ねじ部２６が形成されている。
【００１１】
第２の連結部材３０は、多角軸部材であって、多角軸部３１と小径軸部３２とからなる。第２の連結部材３０は、多角軸部３１側先端に、前記筒状本体２の小径部５を嵌合する嵌合穴３３が形成されている。嵌合穴３３内には、小径部５の係止凹部９に係止される係止凸部３５・・が形成されている。第２の連結部材３０は、小径軸部３２側後端に、ネジ穴３６が形成されている。このネジ穴３６と嵌合穴３３の間の仕切壁３７には、ネジ軸２８を通す開口３９が形成されている。
【００１２】
第１の連結部材２０と第２の連結部材３０は、締結手段２９によって一体的に締結される。締結手段２９は、本実施の形態ではネジであって、第２の連結部材３０のネジ穴３６内に設けられ、ネジ軸２８を仕切壁３７の開口３９に挿通して、第１の連結部材２０の雌ねじ部２６に螺合し、第１の連結部材２０と第２の連結部材３０を一体的に締結している。
【００１３】
４０は、第１の連結部材２０と交換可能な第１の連結部材である。この第１の連結部材４０は、筒状本体２の円形孔７に嵌合する軸部４１と、同じく筒状本体２の矩形孔６に嵌合する矩形板４２と、矩形板４２の表面に突設された一対の係止爪４３，４５とからなる。係止爪４３，４５は、先端４７，４９が内側に湾曲して形成されている。軸部４１の後端には、雌ねじ部４６が形成されている。
【００１４】
連結装置１は、上記構成を有し、筒状本体２の内側に第１の連結部材２０又は４０が着脱自在に取り付けられ、筒状本体２の外側に第２の連結部材３０が着脱自在に取り付けられる。筒状本体２の先端側から第１の連結部材２０を挿入すると、軸部２１が筒状本体２の円形孔７に嵌合し、矩形板２２が筒状本体２の矩形孔６に嵌合して、筒状本体２の内側に第１の連結部材２０が設けられる。矩形板２２が矩形孔６に嵌合するので、第１の連結部材２０は、回動不能に取り付けられる。矩形板２２の向きを変えて、矩形孔６に嵌合すると、係止突起２３の向きを変えることができる。
【００１５】
同様に、筒状本体２の先端側から第１の連結部材４０を挿入すると、軸部４１が筒状本体２の円形孔７に嵌合し、矩形板４２が筒状本体２の矩形孔６に嵌合して、筒状本体２の内側に第１の連結部材４０が設けられる。矩形板４２が矩形孔６に嵌合するので、第１の連結部材４０は、回動不能に取り付けられる。矩形板４２の向きを変えて、矩形孔６に嵌合すると、係止爪４３，４５の向きを変えることができる。このように、連結装置１は、第１の連結部材２０を交換することができる。
【００１６】
筒状本体２の後端側から第２の連結部材３０を取り付けると、筒状本体２の小径部５に嵌合穴３３が嵌合し、小径部５の係止凹部９・・に嵌合穴３３の係止凸部３５・・が係止して、第２の連結部材３０が筒状本体２に回動不能に取り付けられる。本実施の形態では、第２の連結部材３０は、８角軸部材であるが、これに限定されるものではなく、別の多角軸部材を交換して筒状本体２に取り付けることができる。
【００１７】
第２の連結部材３０の後端に形成されたネジ穴３６に締結手段２９を設け、ネジ軸２８を仕切壁３７の開口３９に挿通して、第１の連結部材２０又は４０の雌ねじ部２６又は４６に螺合することによって、筒状本体２に第１の連結部材２０又は４０と第２の連結部材３０を一体的に締結することができる。
【００１８】
連結装置１は、別部品、例えばロボット玩具５０の腕部５１に取り付けられる。連結装置１は、先端に第１の連結部材２０又は４０が着脱自在に取り付けられ、後端に第２の連結部材３０が着脱自在に取り付けられているので、どちらか一方を使用できるようにするため、腕部５１に形成された一対の軸受け部５２，５２間に回動板１０の軸受けボス１１を差し込み、軸受け部５２の挿通孔５３、軸受けボス１１の挿通孔１２、軸受け部５２の挿通孔５３に連結軸５５を挿通して、腕部５１の角部５６に回動自在に取り付けられる。
【００１９】
腕部５１には、角部５６を挟んだ一方の面６０と他方の面６１に、第１の収納凹部６２と第２の収納凹部６３が形成されている。第１の収納部６２には、図２（ａ）に示すように、第１の連結部材２０の係止突起２３を挟持して係止する一対の係止爪６４、６５が突設されている。係止爪６４，６５は、先端６７，６９が内側に湾曲して形成されている。
【００２０】
また。図２（ｂ）に示す腕部５１の第１の収納部６２には、第１の連結部材４０の一対の係止爪４３，４５に挟持され係止される係止突起７０が突設されている。係止突起７０の先端には、膨出部７１が形成されている。
【００２１】
図２（ａ）に示す連結装置１は、連結軸５５を中心として回動して第１の収納凹部６２内に収納すると、係合突起１５，１５が奥壁６６に当接し、第１の連結部材２０の係止突起２３が一対の係止爪６４，６５に挟持されて腕部５１に固定され、図４に示すように、回動板１０の表面１６が一方の面６０の表面と同じ位置となり、筒状本体２が腕部５１から突出する。
【００２２】
図２（ｂ）に示す連結装置１も、同様に、連結軸５５を中心として回動して第１の収納凹部６２内に収納すると、第１の連結部材４０の一対の係止爪４３，４５が係止突起７０を挟持して腕部５１に固定され、図４に示すように、回転板１０の表面１６が一方の面６０の表面と同じ位置となり、筒状本体２が腕部５１から突出する。
【００２３】
連結装置１は、筒状本体２を、ロボット玩具５０の肩部７５に組み込まれた、対向する一対の長板７６，７７と対向する一対の短板７８，７９からなる略矩形枠状の連結枠８０に押し込むと、小径軸部３２の先端が肩部７５の奥壁７４に当接し、多角軸部３１が長板７６，７７の係合部８１，８２に係合して抜け難くなり、多角軸部３１の対向する辺３４，３４が長板７６，７７に圧着挟持されて位置決めされ、腕５１を所望する傾斜角度で固定することができる。
【００２４】
連結装置１は、図２，３に示すように、連結軸５５を中心として回動して第２の収納凹部６３内に収納することができる。図２（ａ）の腕部５１の一方の面６０に嵌合穴８４と係止爪８６，８６を形成し、図２（ｂ）の腕部５１の一方の面６０に嵌合突起８３と係止突起８５を形成しておく。連結装置１を第２の収納凹部６３内に収納した状態で、係止突起７１を一対の係止爪６４，６５に挟持させ、嵌合突起８３を嵌合穴８４に嵌合し、係止突起８５を係止爪８６，８６に挟持させるようにして、一方の面６０同士を接合すると、図５に示すように合体させることができ、走行玩具に変形させることができる。
【００２５】
【発明の効果】
以上説明してきたように、本願発明に係る連結装置は、筒状本体の内側に第１の連結部材が着脱自在に設けられ、外側に第２の連結部材が着脱自在に設けられているので、連結する部品に合わせて連結部材を交換することができるという効果がある。
【００２６】
本願発明に係る連結装置は、第１の連結部材と第２の連結部材が、締結手段によって一体的に締結されているので、締結手段の締結を解除するだけで、第１の連結部材と第２の連結部材を簡単に着脱することができるという効果がある。
【００２７】
本願発明に係る連結装置は、第１の連結部材が係止部材であって、第２の連結部材が多角軸部材であるので、形態の異なる二つの連結部に連結できるという効果がある。
【００２８】
本願発明に係る連結装置は、筒状本体が、別部品にヒンジ連結される回動板に一体的に設けられているので、回動板を回動させるだけで、第１の連結部材と第２の連結部材のどちらかを選択することができるという効果がある。
【図面の簡単な説明】
【図１】本発明に係る連結装置の分解斜視図である。
【図２】連結装置を部品に取り付けた斜視図である。
【図３】図２の要部断面図である。
【図４】図２の使用状態を説明する斜視図である。
【図５】図２の使用状態を説明する斜視図である。
【図６】従来技術を示す説明図である。
【符号の説明】
１  連結装置
２  筒状本体
３  大径部
５  小径部
５ａ  先端
６  矩形孔
７  円形孔
９  係止凹部
１０  回動板
１１  軸受けボス
１２  挿通孔
１３  大径孔
１５  係合突起
１６  表面
１７  裏面
２０  第１の連結部材
２１  軸部
２２  矩形板
２３  係止突起
２５  膨出部
２６  雌ねじ部
２８  ネジ軸
２９  締結手段
３０  第２の連結部材
３１  多角軸部
３２  小径軸部
３３  嵌合穴
３４  辺
３５  係止凸部
３６  ネジ穴
３７  仕切壁
３９  開口
４０  第１の連結部材
４１  軸部
４２  矩形板
４３  係止爪
４５  係止爪
４６  雌ねじ部
４７  先端
４９  先端
５０  ロボット玩具
５１  腕部（別部品）
５２  軸受け部
５３  挿通孔
５５  連結軸
５６  角部
６０  一方の面
６１  他方の面
６２  第１の収納凹部
６３  第２の収納凹部
６４  係止爪
６５  係止爪
６６  奥壁
６７  先端
６９  先端
７０  係止突起
７１  膨出部
７４  奥壁
７５  肩部
７６  長板
７７  長板
７８  短板
７９  短板
８０  連結枠
８１  係合部
８２  係合部
８３  嵌合突起
８４  嵌合穴
８５  係止突起
８６  係止爪
９１  連結装置
９２  連結部材
９３  部品
９４  部品
【図１】
0004098446.tif 000002
【図２】
0004098446.tif 000003
【図３】
0004098446.tif 000004
【図４】
0004098446.tif 000005
【図５】
0004098446.tif 000006
【図６】
0004098446.tif 000007